(57)【要約】【課題】特別な組立及びアフターコートを必要とせず、通常の製品組立において、製品本体内へのゴキブリの侵入を防ぐことができる加熱調理器を得ることを目的とする  【解決手段】本体ケース１と、本体ケース１に調理用加熱源を備えた加熱調理器において、本体ケース１は、底面と側面を構成している中央胴ケース１０１と、中央胴ケース１０１の前側開口を覆うように取り付けられる前ケース１０２と、中央胴ケース１０１の後側開口を覆うように取り付けられる背面ケース１０３とから構成され、前ケース１０２に複数の開口１０２ａを設け、背面ケース１０３に開口１０３ａを設け、前ケース１０２と背面ケース１０３とを防虫鋼板で形成したものである。【選択図】図１
2010216745.tif 000002
【特許請求の範囲】
【請求項１】
本体ケースと、該本体ケースに調理用加熱源を備えた加熱調理器において、
前記本体ケースは、底面と側面を構成している中央胴ケースと、該中央胴ケースの前側開口を覆うように取り付けられる前ケースと、前記中央胴ケースの後側開口を覆うように取り付けられる背面ケースとから構成され、
前記前ケースと前記背面ケースのうち、開口が設けられるケースを防虫鋼板で形成したことを特徴とする加熱調理器。
【請求項２】
前記前ケースをキッチンに固定する固定金具と前記背面ケースをキッチンに固定する固定金具を防虫鋼板で形成したことを特徴とする請求項１記載の加熱調理器。
【請求項３】
前記前ケース又は前記背面ケースに設けた開口に取り付ける枠部材を防虫鋼板又は防虫樹脂で形成したことを特徴とする請求項１又は２記載の加熱調理器。
【請求項４】
前記防虫鋼板は鋼板に防虫剤をプレコートして形成されていることを特徴とする請求項１〜３のいずれかに記載の加熱調理器。
【請求項５】
前記防虫樹脂は樹脂に防虫剤をプレコートし形成されていることを特徴とする請求項３記載の加熱調理器。
【請求項６】
前記防虫剤はゴキブリ等の虫を忌避するものであることを特徴とする請求項４又は５記載の加熱調理器。
【発明の詳細な説明】
【技術分野】
【０００１】
本発明は加熱調理器、特にゴキブリの侵入を防止するようにした加熱調理器に関するものである。
【背景技術】
【０００２】
従来の加熱調理器は、ゴキブリの侵入路となるケーシングの開口部外周に忌避剤を塗布し、ゴキブリ等の虫によるケーシング内への侵入を防止するようにしている。
【先行技術文献】
【特許文献】
【０００３】
【特許文献１】特開平１１−３４４２２７号公報（第１頁、図１）
【発明の概要】
【発明が解決しようとする課題】
【０００４】
従来の加熱調理器では、ゴキブリが侵入するであろう部分に、別途忌避剤を塗布しなければならず、製品組立以外でコストがかかるという問題があった。
また、忌避剤の成分により、塗布した部品がクレージング等の劣化を促し、製品寿命を損なう可能性があるという問題もあった。
本発明はかかる問題点を解決するためになされたもので、特別な組立及びアフターコートを必要とせず、通常の製品組立において、製品本体内へのゴキブリ等の虫の侵入を防ぐことができる加熱調理器を得ることを目的とする。
【課題を解決するための手段】
【０００５】
本発明の加熱調理器は、本体ケースと、本体ケースに調理用加熱源を備えた加熱調理器において、前記本体ケースは、底面と側面を構成している中央胴ケースと、該中央胴ケースの前側開口を覆うように取り付けられる前ケースと、前記中央胴ケースの後側開口を覆うように取り付けられる背面ケースとから構成され、前記前ケースと前記背面ケースのうち、開口が設けられるケースを防虫鋼板で形成したものである。
【発明の効果】
【０００６】
本発明の加熱調理器においては、調理用加熱源を備える本体ケースが底面と側面を構成している中央胴ケースと、中央胴ケースの前側開口を覆うように取り付けられる前ケースと、中央胴ケースの後側開口を覆うように取り付けられる背面ケースとから構成され、前ケースと背面ケースのうち、開口が設けられるケースを防虫鋼板により形成しているので、特別な組立及びアフターコートを必要とせず、通常の製品組立において、前ケースとキッチンの開口部との間に隙間が生じると共に背面ケースとキッチンの開口部との間に隙間が生じても、これらの隙間の一部を構成する開口を設けた前ケース又は背面ケースが防虫鋼板であるため、開口を設けたケースとで構成される隙間にゴキブリが侵入することはなくなり、本体ケース内の充電部等での感電による製品故障を減少させることが可能となるという効果がある。
【図面の簡単な説明】
【０００７】
【図１】本発明の実施の形態１に係る加熱調理器を前方から見た状態の斜視図。
【図２】同加熱調理器を後方から見た状態の斜視図。
【図３】同加熱調理器の本体ケースを分解した状態の斜視図。
【図４】同加熱調理器の側面断面図。
【図５】本発明の実施の形態２に係る加熱調理器を後方から見た状態の斜視図。
【図６】同加熱調理器の側面断面図。
【発明を実施するための形態】
【０００８】
実施の形態１．
図１は本発明の実施の形態１に係る加熱調理器を前方から見た状態の斜視図、図２は同加熱調理器を後方から見た状態の斜視図、図３は同加熱調理器の本体ケースを分解した状態の斜視図、図４は同加熱調理器の側面断面図である。
図１に示すように、本発明の実施の形態１の加熱調理器は、略矩形で上部が開口した本体ケース１を中心に構成されている。その本体ケース１の上面には天板部２が設けられている。
天板部２はトッププレート枠３と、トッププレート枠３の開口部に取り付けられるトッププレート４とで構成されている。
トッププレート４の上面には、左右のＩＨコイル（図示省略），中央加熱源（図示省略）のおおまかな位置を示す円形の案内マーク５Ｍ、６Ｍが、それぞれ印刷等の方法で表示されている。
【０００９】
本体ケース１内には、誘導式加熱源である前方左右２つのＩＨコイル（図示省略）と，電気輻射熱で加熱する後方中央加熱源であるラジエントヒータ（図示省略）等が設けられている。
また、本体ケース１の前方中央にはグリル加熱室８が設けられている。そのグリル加熱室８の前面開口はグリル扉９によって開閉自在に覆われ、グリル扉９は前後方向に移動自在になるようにグリル加熱室８の支持機構によって保持されている。グリル扉９の開閉操作は前方に突出した取っ手９ａによって行うことができる。
【００１０】
この実施の形態における加熱調理器の操作手段は、図１に示すように、前面操作部１０と上面操作部２０とからなっている。
調理器本体１の左右両側の前面にプラスチック製の左前面操作パネル１１Ｌ、右前面操作パネル１１Ｒが取り付けられており、これら左右の前面操作パネル１１Ｌ、１１Ｒが前面操作部１０となっている。
この右前面操作パネル１１Ｒには、左右のＩＨコイル、中央加熱源の全ての電源を一斉に投入・遮断しうる主電源スイッチの操作ボタン１２と、右のＩＨコイルの通電とその通電量（火力）を制御する右操作ダイヤル１３Ｒとが設けられている。
また、左前面操作パネル１１Ｌには、左のＩＨコイルの通電とその通電量（火力）を制御する左操作ダイヤル１３Ｌが設けられている。
【００１１】
また、トッププレート４の前面側には上面操作部２０が設けられている。その上面操作部２０は右火力設定用操作部、左火力設定用操作部及びグリル加熱室８のヒーターの通電制御を行う中央操作部とからなっている。
また、トッププレート４の左右方向の中央部で、前後方向の前側には、統合液晶表示部３０が設けられ、その統合液晶表示部３０の左右に液晶表示部３１Ｌと３１Ｒが設けられている。
統合液晶表示部３０は左右のＩＨコイル、中央加熱源及びグリル加熱室８のヒータ等の通電状態（火力や時間等）を表示する。また、左右の液晶表示部３１Ｌ、３１Ｒはタイマー調理の左右のＩＨコイルにおけるタイマースイッチを操作すると、そのスタート時点からの経過時間が計測されて数字で表示される。
３２Ｌ，３２Ｒは左右のＩＨコイルの加熱火力表示部であり、３３は中央加熱源の火力表示部である。
【００１２】
図３に示すように、本体ケース１は、底面と側面を構成している中央胴ケース１０１と、中央胴ケース１０１の前側上部切欠段部１０１ａにネジで取り付け固定される断面コ字状の前ケース１０２と、中央胴ケース１０１の後側開口を覆うようにネジで取り付け固定される背面ケース１０３とで構成されている。その前ケース１０２は中央胴ケース１０１の前側左右を締結し、背面ケース１０３は中央胴ケース１０１の後側左右を締結している。
前ケース１０２には縦壁となる底部の左右に排気や位置決め等の加工上の必要から小さな開口１０２ａが複数設けられ、上側横壁となる上縁の段曲げ部１０２ｂが図４に示すようにトッププレート枠３に引っ掛けられている。また、背面ケース１０３の中央に固定金具レバー５０を貫通させるための大きな開口１０３ａが１つ設けられ、上縁１０３ｂはトッププレート枠３にネジ１０４で固定されている。
【００１３】
前ケース１０２の縦壁となる底部の真中に、図３に示すように、Ｌ字状の前面固定金具レバー１０５を一端を支点に回動可能に取り付け、前ケース１０２の縦壁となる底部の真中にネジ１０６を進退自在に螺合させ、ネジ１０６の先端に抜止めボルト１０７を取り付け、ネジ１０６の根元に押当リング１０８を一体に取り付けている。
また、背面ケース１０３の開口１０３ａに、図３に示すように、背面固定金具レバー１１０を貫通させてシーソー状態に配置し、背面ケース１０３の内側で開口１０３ａの下方に箱状のネジ保持部材１１１を取り付け、背面固定金具レバー１１０の背面ケース１０３の内側に位置する一端に螺合させたネジ１１２をネジ保持部材１１１に貫通するようにして進退自在に螺合させている。１１３はネジ１１２における背面固定金具レーバー１１０とネジ保持部材１１１との間に介装されたコイルスプリングである。
【００１４】
したがって、キッチンＫＴの開口部１１５に本体ケース１が据え付けられた場合に、図３に示すように、前ケース１０２に進退自在に螺合しているネジ１０６を緩めると、ネジ１０６の根元に一体に取り付けた押当リング１０８がＬ字状の前面固定金具レバー１０５を支点を中心に時計方向に回動させ、前面固定金具レバー１０５の一端がキッチンＫＴの開口部１１５周辺の底部を押さえることにより、前ケース１０２をキッチンＫＴに固定する。
また、図３に示すように、背面ケース１０３の内側に取り付けられた箱状のネジ保持部材１１１に貫通するようにして進退自在に螺合させられているネジ１１２を閉めると、ネジ１１２の頭部が下がり、そのネジ１１２の頭部側と螺合していると背面ケース１０３の開口１０３ａにシーソー状態に配置した背面固定金具レバー１１０の背面ケース１０３の内側に位置する一端が下がり、反対側の他端がキッチンＫＴの開口部１１５周辺の底部を押さえることにより、背面ケース１０３をキッチンＫＴに固定する。
【００１５】
このようにして、本体ケース１がキッチンＫＴの開口部に固定された場合に、キッチンＫＴの開口部に対する本体ケース１の嵌め込みを容易にするために、前ケース１０２とキッチンＫＴの開口部との間にどうしても隙間Ｓが生じると共に背面ケース１０３とキッチンＫＴの開口部１１５との間にもどうしても隙間Ｓが生じる。
これらの隙間Ｓにゴキブリが入り易く、これらの隙間Ｓに前ケース１０２の複数の開口１０２ａと背面ケース１０３の開口１０３ａが臨んでいるため、これらの開口１０２ａ、１０３ａから本体ケース１内にゴキブリが侵入してしまう構造となっている。
【００１６】
そこで、この実施の形態１では、本体ケース１内へのゴキブリの侵入を防止するため、複数の穴状の開口１０２ａを有する前ケース１０２と、１つの開口１０３ａを有する背面ケース１０３を防虫剤がプレコートされた防虫鋼板により形成している。
さらに、前ケース１０２に取り付けられるＬ字状の前面固定金具レバー１０５や背面ケース１０３に取り付けられる背面固定金具レバー１１０も防虫剤がプレコートされた防虫鋼板により形成するようにしている。
【００１７】
この防虫鋼板はＪＦＥ鋼板株式会社が製造販売している商標名がサニータ（商標権者がＪＦＥ鋼板株式会社）である鋼板である。
さらに詳しく説明すると、この防虫鋼板は、溶融亜鉛メッキ鋼板の表面に約１μの特殊防虫皮膜を形成したもので、この特殊防虫皮膜は、バース樹脂にピレスロイド系防虫成分とクロメートフリー防錆成分とを混合したものである。
そして、特殊防虫皮膜を構成する忌避性能を付加させるための防虫成分は、環境にも優しく、安全性の高い、高融点の物質を使用している反面、無味無臭で、揮発減少がなく、長期間忌避効果が持続する（促進試験では１０年相当の忌避性能を確認している。併せて、優れた耐食性、溶接性を兼ね備えている。
この防虫鋼板の忌避メカニズムは、防虫鋼板に昆虫が触れると、触覚、脚、口器などから極微量の防虫剤に触れて、感知し、異常行動を誘起し、防虫鋼板表面から逃げ出して、新しい営巣場所を探し移り住むことによる。この作用は、化学剤によるものなので、電気や熱刺激等のように瞬時に忌避作用を示すものではないが、接触後１〜３分程度で明らかな異常行動が認められ、防虫鋼板から離れると、防虫剤に触れなくなることから、行動は正常に戻るが、数回、防虫鋼板に接触したゴキブリは、防虫鋼板に寄りつかないようになる。
【００１８】
この実施の形態１では、複数の開口穴１０２ａを有する前ケース１０２と、開口１０３ａを有する背面ケース１０３を防虫剤がプレコートされた防虫鋼板により形成し、さらに、前ケース１０２に取り付けられるＬ字状の前面固定金具レバー１０５や背面ケース１０３の開口１０３ａに取り付けられる背面固定金具レバー１１０も忌避剤がプレコートされた防虫鋼板により形成しているので、特別な組立及びアフターコートを必要とせず、通常の製品組立において、前ケース１０２とキッチンＫＴの開口部１１５との間に隙間Ｓが生じると共に背面ケース１０３とキッチンＫＴの開口部１１５との間に隙間Ｓが生じても、これらの隙間Ｓの一部を構成する前ケース１０２と背面ケース１０３が防虫鋼板であるため、これらの隙間Ｓにゴキブリが侵入することはなくなり、本体ケース１内の充電部等での感電による製品故障を減少させることが可能となった。
【００１９】
実施の形態２．
図５は本発明の実施の形態２に係る加熱調理器を後方から見た状態の斜視図、図６は同加熱調理器の側面断面図である。
この実施の形態２において上記実施の形態１と同様の構成は、同一符号を付して重複した構成の説明を省略する。
この実施の形態２は、複数の開口穴１０２ａを有する前ケース１０２は防虫鋼板で形成しているが、開口１０３ａを有する背面ケース１０３を通常の鋼板で形成したものである。そして、背面ケース１０２の開口１０３ａに防虫鋼板で形成された枠部材１１５を後付けしている。
この実施の形態２では、背面ケース１０３とキッチンＫＴの開口部との間の隙間Ｓを介してゴキブリが入りやすい背面ケース１０３の開口１０３ａに防虫鋼板で形成された枠部材１０７を後付けしているので、その開口１０３ａからゴキブリが侵入することは防止される。なお、枠部材１１５を防虫鋼板で形成しているが、樹脂にピレスロイド系防虫成分を混合した防虫樹脂によって形成してもよい。
【００２０】
上記実施の形態１、２は電磁加熱調理器であるが、前方中央にグリル加熱室を備え、上部に複数の加熱源を設けた加熱調理器或いはグリル加熱室だけを備えた加熱調理器についても、本発明が適用されることはいうまでもない。
【符号の説明】
【００２１】
１  調理器本体、２  天板部、３  トッププレート枠、４  トッププレート、８  グリル加熱室、９  ドア、１０  前面操作部、２０  上面操作部、１０１  中央胴ケース、１０１ａ  前側上部切欠段部、１０２  前ケース、１０２ａ  開口、１０２ｂ  段曲げ部、１０３背面ケース、１０３ａ  開口、１０４  ネジ、１０５  前面固定金具レバー、１０６  ネジ、１０７  抜止めボルト、１０８  押当リング、１１０  背面固定金具レバー、１１１  ネジ保持部材、１１３  コイルスプリング、ＫＴ  キッチン、Ｓ  隙間。
【図１】
2010216745.tif 000003
【図２】
2010216745.tif 000004
【図３】
2010216745.tif 000005
【図４】
2010216745.tif 000006
【図５】
2010216745.tif 000007
【図６】
2010216745.tif 000008